(57)【要約】【課題】  頻繁に行う操作の組み合わせや、便利な操作の組み合わせを容易に記録し、記録した操作の組み合わせをユーザ自身で利用したり、又は記録した操作の組み合わせを他人に伝えたりできる携帯端末装置を提供する。【解決手段】  ユーザの操作により画像を撮影する撮像手段と、撮影された画像の画像データを格納する記憶手段と、画像データを解析する画像解析処理手段と、各手段を制御する制御手段と、を有する携帯端末装置であって、画像解析処理手段は、撮像手段にて撮影された、ユーザが行う一連の操作手順及び携帯端末装置が行う一連の操作処理を示すコマンド文字列を解析し、解析した結果が携帯端末装置のコマンドであると判断した場合、制御手段は、撮影されたコマンド文字列に記述された順番で各手段を制御し、操作手順又は操作処理を実行する。【選択図】  図１
2006025075.tif 000002
【特許請求の範囲】
【請求項１】
ユーザの操作により画像を撮影する撮像手段と、
前記撮影された画像の画像データを格納する記憶手段と、
前記画像データを解析する画像解析処理手段と、
前記各手段を制御する制御手段と、を有する携帯端末装置であって、
前記画像解析処理手段は、前記撮像手段にて撮影された、ユーザが行う一連の操作手順及び携帯端末装置が行う一連の操作処理を示すコマンド文字列を解析し、解析した結果が携帯端末装置のコマンドであると判断した場合、前記制御手段は、前記撮影されたコマンド文字列に記述された順番で前記各手段を制御し、前記操作手順又は前記操作処理を実行することを特徴とする携帯端末装置。
【請求項２】
前記制御手段は、前記画像解析処理手段を含むことを特徴とする請求項１記載の携帯端末装置。
【請求項３】
前記コマンド文字列は、少なくとも１以上の記号、少なくとも１以上の数字、又は、少なくとも１以上の文字を組み合わせて構成された文字列であることを特徴とする請求項１記載の携帯端末装置。
【請求項４】
前記コマンド文字列は、少なくとも１以上の記号、少なくとも１以上の数字、又は、少なくとも１以上の文字のうちいずれか１種類のみで構成された文字列であることを特徴とする請求項１記載の携帯端末装置。
【請求項５】
前記コマンド文字列は、創作された記号、創作された模様、又はバーコードのうちのいずれかであることを特徴とする請求項１記載の携帯端末装置。
【請求項６】
前記画像解析処理手段は、前記コマンド文字列の撮影後すぐに該コマンド文字列を解析し、前記制御手段がコマンド実行することを特徴とする請求項１又は２記載の携帯端末装置。
【請求項７】
前記画像解析処理手段は、前記コマンド文字列の撮影後、前記ユーザによる特定のキー操作によって該コマンド文字列を解析し、前記制御手段がコマンド実行することを特徴とする請求項１又は２記載の携帯端末装置。
【請求項８】
前記画像解析処理手段は、前記ユーザによる特定のキー操作後に撮影された、コマンド文字列を解析し、前記制御手段がコマンド実行することを特徴とする請求項１又は２記載の携帯端末装置。
【請求項９】
前記画像解析処理手段は、以前撮影され、保存されたコマンド文字列を前記記憶手段から読み出し、該コマンド文字列を解析し、前記制御手段がコマンド実行することを特徴とする請求項１又は２記載の携帯端末装置。
【請求項１０】
前記制御手段が行うコマンドは、ユーザによって行われる一連のキー操作の全部又は一部、あるいは該キー操作以外の処理動作であることを特徴とする請求項１から９のいずれか１項に記載の携帯端末装置。
【請求項１１】
前記画像解析処理部が前記コマンド文字列を解析後、前記制御手段は、前記コマンド文字列に指定されたホームページにネットワークを介して接続することを特徴とする請求項１から１０のいずれか１項に記載の携帯端末装置。
【請求項１２】
前記制御手段は、前記ホームページ接続後、前記ユーザが該ホームページにて行う商品等の購入に関する一連の操作を自動的に行うことを特徴とする請求項１１記載の携帯端末装置。
【請求項１３】
前記ユーザが該ホームページにて行う商品等の購入に関する一連の操作のうち、購入決定の操作については、前記コマンド文字列にて指定されたコマンドに制限を設けることを特徴とする請求項１２記載の携帯端末装置。
【発明の詳細な説明】
【技術分野】
【０００１】
本発明は、携帯端末装置に関し、詳しくは、撮影機能で撮影したデータをコマンド実行できる携帯端末装置に関する。
【背景技術】
【０００２】
一般的に使用されている携帯電話等の携帯端末装置では、ユーザが頻繁に行う操作手順の組み合わせが存在することが多い。しかも、ユーザ個人によって常用する操作の組み合わせは異なっていることが多い。そして、従来の携帯端末装置において、ユーザが常用する操作の組み合わせを記憶する機能を備えている機種は少ない。また、操作手順の組み合わせを他の携帯端末装置に伝える機能としては、ＪＡＶＡ（登録商標）などの組み込みプログラムを組むことが考えられるが、プログラムを組んで携帯端末装置に組み込むことは専門知識が必要とされ、一般的ではない。
【０００３】
従来技術例として、携帯端末装置で撮影したＵＲＬにＷＥＢ接続し、接続先から情報を受け取って装置の画面に表示する「コード情報を用いた情報提供システム」がある（例えば、特許文献１参照）。また、携帯端末装置でバーコードを撮影し、撮影されたバーコードを認識して認識内容に基づき所定の処理を実行する「携帯端末装置並びに情報読取プログラム及びそのプログラムを記録した記録媒体」がある（例えば、特許文献２参照）。
【特許文献１】特開２００３−２３３５４６号公報
【特許文献２】特開２００４−５６６９６号公報
【発明の開示】
【発明が解決しようとする課題】
【０００４】
しかしながら、特許文献１及び２記載の発明は、携帯端末装置のカメラ機能を用いてＵＲＬやバーコードを撮影し、撮影したＵＲＬやバーコードに基づいて所定の処理を行うものであるが、所定の記号や文字列を撮影し、撮影した文字列をコマンドとして実行するものではない。
【０００５】
本発明は、上記事情に鑑みてなされたものであり、カメラ機能を搭載した携帯端末装置において、端末装置の機能の一部または全部について、記号や文字列で構成されたコマンドを搭載されたカメラで撮影し、撮影映像の中の記号や文字列を解析して、解析結果をコマンドとして実行することによって、頻繁に行う操作の組み合わせや、便利な操作の組み合わせを容易に記録し、記録した操作の組み合わせをユーザ自身で利用したり、又は記録した操作の組み合わせを知人又は不特定多数の他人に伝えたりできる携帯端末装置を提供することを目的とする。
【課題を解決するための手段】
【０００６】
かかる目的を達成するために、請求項１記載の発明は、ユーザの操作により画像を撮影する撮像手段と、撮影された画像の画像データを格納する記憶手段と、画像データを解析する画像解析処理手段と、各手段を制御する制御手段と、を有する携帯端末装置であって、画像解析処理手段は、撮像手段にて撮影された、ユーザが行う一連の操作手順及び携帯端末装置が行う一連の操作処理を示すコマンド文字列を解析し、解析した結果が携帯端末装置のコマンドであると判断した場合、制御手段は、撮影されたコマンド文字列に記述された順番で各手段を制御し、操作手順又は操作処理を実行することを特徴とする。
【０００７】
請求項２記載の発明は、請求項１記載の発明において、制御手段は、画像解析処理手段を含むことを特徴とする。
【０００８】
請求項３記載の発明は、請求項１記載の発明において、コマンド文字列は、少なくとも１以上の記号、少なくとも１以上の数字、又は、少なくとも１以上の文字を組み合わせて構成された文字列であることを特徴とする。
【０００９】
請求項４記載の発明は、請求項１記載の発明において、コマンド文字列は、少なくとも１以上の記号、少なくとも１以上の数字、又は、少なくとも１以上の文字のうちいずれか１種類のみで構成された文字列であることを特徴とする。
【００１０】
請求項５記載の発明は、請求項１記載の発明において、コマンド文字列は、創作された記号、創作された模様、又はバーコードのうちのいずれかであることを特徴とする。
【００１１】
請求項６記載の発明は、請求項１又は２記載の発明において、画像解析処理手段は、コマンド文字列の撮影後すぐにコマンド文字列を解析し、制御手段がコマンド実行することを特徴とする。
【００１２】
請求項７記載の発明は、請求項１又は２記載の発明において、画像解析処理手段は、コマンド文字列の撮影後、ユーザによる特定のキー操作によってコマンド文字列を解析し、制御手段がコマンド実行することを特徴とする。
【００１３】
請求項８記載の発明は、請求項１又は２記載の発明において、画像解析処理手段は、ユーザによる特定のキー操作後に撮影された、コマンド文字列を解析し、制御手段がコマンド実行することを特徴とする。
【００１４】
請求項９記載の発明は、請求項１又は２記載の発明において、画像解析処理手段は、以前撮影され、保存されたコマンド文字列を記憶手段から読み出し、コマンド文字列を解析し、制御手段がコマンド実行することを特徴とする。
【００１５】
請求項１０記載の発明は、請求項１から９のいずれか１項に記載の発明において、制御手段が行うコマンドは、ユーザによって行われる一連のキー操作の全部又は一部、あるいはキー操作以外の処理動作であることを特徴とする。
【００１６】
請求項１１記載の発明は、請求項１から１０のいずれか１項に記載の発明において、画像解析処理部がコマンド文字列を解析後、制御手段は、コマンド文字列に指定されたホームページにネットワークを介して接続することを特徴とする。
【００１７】
請求項１２記載の発明は、請求項１１記載の発明において、制御手段は、ホームページ接続後、ユーザがホームページにて行う商品等の購入に関する一連の操作を自動的に行うことを特徴とする。
【００１８】
請求項１３記載の発明は、請求項１２記載の発明において、ユーザがホームページにて行う商品等の購入に関する一連の操作のうち、購入決定の操作については、コマンド文字列にて指定されたコマンドに制限を設けることを特徴とする。
【発明の効果】
【００１９】
本発明によれば、端末装置の機能の一部または全部について、記号や文字列で構成されたコマンドを搭載されたカメラで撮影し、撮影映像の中の記号や文字列を解析して、解析結果をコマンドとして実行することによって、頻繁に行う操作の組み合わせや、便利な操作の組み合わせを容易に記録し、記録した操作の組み合わせをユーザ自身で利用したり、又は記録した操作の組み合わせを知人又は不特定多数の他人に伝えたりできる。
【発明を実施するための最良の形態】
【００２０】
以下、本発明を実施するための最良の形態について添付図面を参照して詳細に説明する。
【実施例１】
【００２１】
図１に本発明の実施例である携帯端末装置の構成のブロック図を示す。
本発明の実施例である携帯端末装置１０は、撮像手段であるカメラ１、撮影した画像の画像データを格納する記憶手段のメモリ３、撮影画像データまたはメモリ３に格納された画像データを解析する画像解析処理部６、携帯端末装置内の各機能部を制御する制御手段の制御回路２を有している。また、携帯端末装置１０は、図示はしてないが、音声の入出力を行うスピーカ・マイクや電波の送受信を行うアンテナ・無線部、プログラム等を格納する不揮発性メモリ等、一般的な従来の携帯端末装置の機能を有する。なお、本実施例では、制御回路２とは別に画像解析処理部６を設けているが、制御回路２が機能の一部として画像解析処理機能を有していても良い。
【００２２】
図１に示す画像解析処理部６は、カメラ１にて撮影された、記号、数字、又はアルファベット等の文字で構成されたコマンド文字列を解析し、解析した結果が携帯端末装置のコマンドであると判断した場合、制御回路２は、撮影されたコマンド文字列に記述された順番で携帯端末装置１０の各部を制御し、操作処理を実行する。
【００２３】
ここで、コマンド文字列は、複数の記号のみ、複数の数字のみ、複数のアルファベット等の文字のみで構成された文字列でもよいし、または複数の記号、複数の数字、複数のアルファベット等の文字をそれぞれ組み合わせて構成された文字列でもよい。また、文字はアルファベットに限られず、ひらがなやかたかな、その他の外国語の文字でもよい。
【００２４】
コマンド文字列を構成する各記号、数字、文字は、ユーザが行う一連の操作手順及び携帯端末装置が行う一連の操作処理を示す。例えば、図４に示すように「ＡＡＢＣＤ７０８８＃＋−＃」というコマンド文字列が一連のメール作成処理を表すものとする。アルファベットの「ＡＡ」は、この文字列がコマンド文字列であることを示す識別子であり、画像解析処理部６は「ＡＡ」を解析してこの「ＡＡＢＣＤ７０８８＃＋−＃」文字列全体がコマンド文字列であることを認識する。次に、「ＢＣＤ」は、ユーザがメール作成時に行うキー操作、及びメール作成機能を起動する携帯端末装置の処理動作を示す。数字の「７０８８」は、メール作成時にユーザが送信先のアドレスを入力するキー操作、及びアドレス入力処理を示す。記号の「＃＋−＃」は、メール作成時にユーザが行う定型文入力のキー操作、及び定型文入力処理を示す。
【００２５】
本実施例の携帯端末装置１０は、ユーザがカメラ１にて紙媒体等に記載された「ＡＡＢＣＤ７０８８＃＋−＃」を撮影すると、画像解析処理部６が文字列の冒頭の「ＡＡ」を解析して、この「ＡＡＢＣＤ７０８８＃＋−＃」文字列全体がコマンド文字列であることを認識する。そして、制御回路２が、各部を制御することによって、メール作成機能を起動し、アドレス入力処理、定型文入力処理を順番に自動的に行う。ここで、アドレス入力処理及び定型文入力処理は、所定のアドレス及び所定の定型文が自動的に入力されるようにしてもよいし、また、ユーザ入力するものを選択できるように、アドレス一覧や定型文一覧等の選択画面を表示するだけでもよい。
【００２６】
以上のように、本実施例によれば、ユーザはメール作成時に、メール機能を起動するキー操作、アドレス入力をするキー操作、定型文入力するキー操作等、各キー操作をする必要がない。
【００２７】
図２に本発明を利用した携帯端末装置の動作をフローチャートで示す。
あらかじめ携帯端末装置の一連の操作を制御するためのコマンド文字列を規定する。紙上またはディスプレイの表示上のコマンド文字列を撮影し（Ｓ１）、その撮影画像データを解析して（Ｓ２）携帯端末装置のコマンドであると判断した場合（Ｓ３／ＹＥＳ）、記述されているコマンド文字列の順番に操作処理を実行する（Ｓ４）。
【００２８】
その際、撮影後すぐにコマンド文字列を解析し、コマンド実行するようにしてもよいし、図３のように操作部４や表示部５を備えた携帯端末装置１０の場合、撮影後、ユーザによる携帯端末装置への特定のキー操作によって解析・コマンド実行するようにしてもよい。また、ユーザによる特定のキー操作後に撮影し、解析・コマンド実行するようにしてもよいし、以前撮影・保存したコマンド文字列データをメモリ３から読み出して解析・コマンド実行するようにしてもよい。
【００２９】
また、撮影画像を解析・実行できるコマンドは、ユーザが行う携帯端末装置のキー操作と同一でもよいし、ユーザが行うキー操作の一部分でもよい。又は、キー操作以外の機能、例えば携帯端末装置が行う処理動作を含んでもよい。
【００３０】
以上、本発明の実施例によれば、常用している携帯端末装置で特定の操作を頻繁に行う場合は、その操作をどこかに記憶しておき、後刻実行できるようにしておくことができる。例えば、ユーザは一連の操作を示すコマンド文字列を紙に記述し、後刻それを携帯端末のカメラで撮影することにより、容易に頻繁に行う操作を実行することができる。
【００３１】
また、便利と思われる一連の操作を示すコマンド文字列を記述した紙を他の人に渡すことにより、他の人の携帯端末装置で同様の操作を実行させることができる。
【００３２】
さらに、便利と思われる一連の操作を示すコマンド文字列を出版物に記述することにより、不特定多数の人にその操作を知らせることができ、不特定多数の人が出版物の記述を撮影することで便利な操作を実行できる。
【実施例２】
【００３３】
次に、携帯電話機の使用例を実施例２として図５に示す。
住所氏名などのユーザの個人情報、又は住所録の内容を携帯電話機のメモリ３から読み出すコマンドを用意しておく。カタログ、パンフレット又は雑誌などの宣伝・商品紹介ページに記述されたコマンド文字列１１を、ユーザが本実施例の携帯電話機１０で撮影すると、上記実施例１と同様に、撮影したコマンド文字列１１を画像解析処理部が解析し、制御回路が紹介された商品のメーカのホームページにネットワークを介して接続し、メモリ３から読み出したコマンドと併せてユーザが希望商品を購入するまでの一連の購入処理が自動的に実行される。つまり、本実施例では、コマンド文字列１１には所定のＷＥＢページにアクセスするコマンドや一連の購入操作のコマンドが含まれている。
【００３４】
例えば、図５に示すコマンド文字列「ＡＢＣＣＣＣＤ２３２４５５６」では、アルファベット文字の「ＡＢ」の部分がこの文字列はコマンドであるという識別子であり、「ＣＣＣＣＤ」が所定のＷＥＢページアドレスを示し、数字の「２３２４５５６」が所定のＷＥＢページへの接続、個人情報の書き込み等、一連の購入操作を示している。
【００３５】
このように、本実施例ではユーザは最小限の端末装置の操作で希望商品等の購入ができる。また、メーカ側にとっては大きな宣伝効果を期待できる。
【００３６】
ただし、ユーザ以外の第３者に悪用されないように、実際に購入を決定する操作は、ユーザ認証等、ユーザのキー操作でしか行えないようにするなど、撮影画像から実行できるコマンドに制限を設けるなどの処置は必要である。
【実施例３】
【００３７】
上記実施例１及び２では、カメラにて撮影するコマンド文字列を記号、数字、及びアルファベット等の文字で構成される文字列としたが、公知の記号以外の記号（創作された記号）、創作された模様、又はバーコード等で一連の操作を示すようにしてもよい。
【００３８】
以上、本発明の実施例について説明したが、上記実施例に限定されるものではなく、その要旨を逸脱しない範囲において種々の変形が可能である。
【図面の簡単な説明】
【００３９】
【図１】本発明の実施例１である携帯端末装置の構成を示すブロック図である。
【図２】本発明の実施例１である携帯端末装置の処理動作を示すフローチャートである。
【図３】本発明の実施例１である携帯端末装置の別形態の構成を示すブロック図である。
【図４】本発明の実施例１に係るコマンド文字列を示す図である。
【図５】本発明の実施例２であるシステムの構成を示す図である。
【符号の説明】
【００４０】
１    カメラ
２    制御回路
３    メモリ
４    操作部
５    表示部
６    画像解析処理部
１０    携帯端末装置
１１    コマンド文字列
【図１】
2006025075.tif 000003
【図２】
2006025075.tif 000004
【図３】
2006025075.tif 000005
【図４】
2006025075.tif 000006
【図５】
2006025075.tif 000007